(57)【特許請求の範囲】
【請求項１】
動物病院において用いられる電子カルテシステムであって、
種類ごとに異なる複数のカルテの少なくともいずれかの、表示部への表示を制御するカルテ表示制御部と、
前記カルテの種類に関連付けられた入力手段を、前記表示部に表示されている前記カルテへの診察情報の入力に反映させる入力手段制御部と、
を備え、
前記入力手段制御部は、表示されている前記カルテに、前記カルテへの診察情報の入力のための文言を提示し、
前記文言は、前記カルテの種類に関連付けられる辞書ＤＢから取得される、
電子カルテシステム。
【請求項２】
請求項１に記載の電子カルテシステムであって、
前記カルテの種類は、総合診療用カルテと、専門診療用カルテと、を含む、
電子カルテシステム。
【請求項３】
請求項２に記載の電子カルテシステムであって、
前記専門診療用カルテは皮膚科用カルテを含み、
前記カルテの項目は、シェーマに関する項目を含む、
電子カルテシステム。
【請求項４】
請求項２または３に記載の電子カルテシステムであって、
前記カルテ表示制御部は、前記電子カルテシステムのアカウントに関連付けられるユーザの専門分野に対応する前記専門診療用カルテを表示する、
電子カルテシステム。
【請求項５】
補正前の請求項６
請求項１〜４のいずれか１項に記載の電子カルテシステムであって、
前記入力手段は、前記カルテの種類に基づいて設けられる項目からなる、前記診察情報を入力するための入力領域を含む、
電子カルテシステム。
【請求項６】
コンピュータに、
種類ごとに異なる複数のカルテの少なくともいずれかの、表示部への表示を制御するステップと、
前記カルテの種類に関連付けられた入力手段を、前記表示部に表示されている前記カルテへの診察情報の入力に反映させるステップと、
を実行させるプログラムであって、
前記反映させるステップにおいて、前記コンピュータに、表示されている前記カルテに、前記カルテへの診察情報の入力のための文言を提示ステップを実行させ、
前記文言は、前記カルテの種類に関連付けられる辞書ＤＢから取得されるプログラム。
【発明の詳細な説明】
【技術分野】
【０００１】
本開示は、電子カルテシステムおよびプログラムに関する。
【背景技術】
【０００２】
患者情報を病院内または複数の病院のグループ内で共有するために、病院において、電子カルテが幅広く使用されるようになっている。例えば、特許文献１には、電子カルテにおける入力支援に関する技術が開示されている。
【先行技術文献】
【特許文献】
【０００３】
【特許文献１】特開２０１６−２１２１６号
【発明の概要】
【発明が解決しようとする課題】
【０００４】
動物病院の場合、患者が動物であり、症状の種類や患者への対応についても多様であるため、これらの症状を正確に記録することが求められる。【０００５】
そこで、本開示は上記問題点に鑑みてなされたものであり、その目的は、動物病院における多様なカルテの取り扱いについて医療従事者がより正確に対応することが可能な電子カルテシステムおよびプログラムを提供することである。
【課題を解決するための手段】
【０００６】
本開示によれば、動物病院において用いられる電子カルテシステムであって、種類ごとに異なる複数のカルテの少なくともいずれかの、表示部への表示を制御するカルテ表示制御部と、前記カルテの種類に関連付けられた入力手段を、前記表示部に表示されている前記カルテへの診察情報の入力に反映させる入力手段制御部と、を備える、電子カルテシステムが提供される。【０００７】
また、本開示によれば、コンピュータを、動物病院において用いられる電子カルテシステムとして機能させるためのプログラムであって、前記コンピュータを、種類ごとに異なる複数のカルテの少なくともいずれかの、表示部への表示を制御するカルテ表示制御部と、前記カルテの種類に関連付けられた入力手段を、前記表示部に表示されている前記カルテへの診察情報の入力に反映させる入力手段制御部と、として機能させるプログラムが提供される。
【発明の効果】
【０００８】
本開示によれば、動物病院における多様なカルテの取り扱いについて医療従事者がより正確に対応することができる。
【図面の簡単な説明】
【０００９】
【図１】本開示の第１の実施形態に係る電子カルテシステム１の構成例を示す図である。
【図２】同実施形態に係るサーバ１０を実現するコンピュータのハードウェア構成例を示す図である。
【図３】同実施形態に係るサーバ１０のソフトウェア構成例を示す図である。
【図４】同実施形態に係るカルテＤＢ１０４の一例を示す図である。
【図５】同実施形態に係るフォーマット／項目ＤＢ１０５のデータ構造の概念図である。
【図６】同実施形態に係るカルテ表示制御部１０１と入力手段制御部１０２によるカルテの表示の第１の例を示す図である。
【図７】同実施形態に係るカルテ表示制御部１０１と入力手段制御部１０２によるカルテの表示の第２の例を示す図である。
【図８】同実施形態に係る電子カルテシステム１における一連の制御に係るフローチャート図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
図１は、本開示の第１の実施形態に係る電子カルテシステム１の構成例を示す図である。図示するように、本実施形態に係る電子カルテシステム１は、電子カルテ管理サーバ１０（以下、サーバ１０と称する）と、病院端末２０とを備える。サーバ１０と、病院端末２０とは、ネットワークＮＷを介して通信可能に接続されている。なお、本構成は一例であり、ある構成が他の構成を兼ね備えていたり、他の構成が含まれていたりしてもよい。
【００１２】
本実施形態においてネットワークＮＷはインターネットを想定している。ネットワークＮＷは、例えば、公衆電話回線網、携帯電話回線網、無線通信網、イーサネット（登録商標）などにより構築される。
【００１３】
サーバ１０は、例えば、動物病院において診察を受けたり入院したりする動物のカルテを管理する機能を有する。かかる動物病院に勤務する、獣医、看護師、理学療法士、医療事務等の医療従事者Ｒ１は、病院端末２０を使用してサーバ１０にアクセスし、患者である動物のカルテを閲覧または編集する。かかるサーバ１０は、例えば、動物病院により直接的に管理されてもよいし、動物病院を経営する組織や、少なくとも一の動物病院にかかる電子カルテシステム１を提供するサービサーにより管理されてもよい。
【００１４】
また、例えば、サーバ１０は、ワークステーションまたはパーソナルコンピュータのような汎用コンピュータとしてもよいし、或いはクラウドコンピューティングによって論理的に実現されてもよい。
【００１５】
病院端末２０は、例えば、動物病院に勤務する医療従事者Ｒ１が使用する端末である。かかる端末は、医療従事者Ｒ１により操作され得る。例えば、病院端末２０は、携帯電話、スマートフォン、タブレットコンピュータまたはパーソナルコンピュータ等であり得る。なお、病院端末２０は、動物病院に設けられるものとしたが、本技術はかかる例に限定されない。例えば、病院端末２０は、動物病院の外部の検査機関等に設けられるものであってもよい。
【００１６】
本実施形態に係る電子カルテシステム１の概要について説明する。電子カルテシステム１は、動物病院において受診、入院または手術の予定または実績のある動物のカルテを管理するシステムである。動物病院に勤務する医療従事者である獣医Ｒ１は、例えば、動物の主訴や動物に対する処置の内容等をカルテに記入する。しかしながら、動物病院においては、動物種による専門性や、動物の主訴は様々であり、一般的な総合診療の範囲では収まらず、専門医等による診察等が必要になる場合もある。そのため、動物病院におけるカルテの項目は煩雑化し得る。
【００１７】
そこで、本実施形態に係る電子カルテシステム１によれば、複数のカルテのフォーマットを備え、動物病院における患者の種類や専門診療の内容に応じて、フォーマットを変更することができる。フォーマットとは、例えば、カルテの項目や、カルテに記入する際の入力支援機能等である。これにより、動物病院における多様なカルテの取り扱いにおいて、医療従事者がより正確に対応することが可能となる。以下、本実施形態の詳細について説明する。
【００１８】
図２は、本実施形態に係るサーバ１０を実現するコンピュータのハードウェア構成例を示す図である。コンピュータは、少なくとも、制御部１１、メモリ１２、ストレージ１３、通信部１４および入出力部１５等を備える。これらはバス１６を通じて相互に電気的に接続される。
【００１９】
制御部１１は、サーバ１０全体の動作を制御し、各要素間におけるデータの送受信の制御、及びアプリケーションの実行及び認証処理に必要な情報処理等を行う演算装置である。例えば制御部１１は、ＣＰＵ（Ｃｅｎｔｒａｌ  Ｐｒｏｃｅｓｓｉｎｇ  Ｕｎｉｔ）等のプロセッサであり、ストレージ１３に格納されメモリ１２に展開されたプログラム等を実行して各情報処理を実施する。
【００２０】
メモリ１２は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリまたはＨＤＤ（Ｈａｒｄ  Ｄｉｓｃ  Ｄｒｉｖｅ）等の不揮発性記憶装置で構成される補助記憶と、を含む。メモリ１２は、制御部１１のワークエリア等として使用され、また、サーバ１０の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００２１】
ストレージ１３は、アプリケーション・プログラム等の各種プログラムを格納する。各処理に用いられるデータを格納したデータベースがストレージ１３に構築されていてもよい。
【００２２】
通信部１４は、サーバ１０をネットワークに接続する。通信部１４は、例えば、有線ＬＡＮ（Local  Area  Network）、無線ＬＡＮ、Ｗｉ−Ｆｉ（Wireless  Fidelity、登録商標）、赤外線通信、Ｂｌｕｅｔｏｏｔｈ（登録商標）、近距離または非接触通信等の方式で、外部機器と直接またはネットワークアクセスポイントを介して通信する。
【００２３】
入出力部１５は、例えば、キーボード、マウス、タッチパネル等の情報入力機器、及びディスプレイ等の出力機器である。
【００２４】
バス１６は、上記各要素に共通に接続され、例えば、アドレス信号、データ信号及び各種制御信号を伝達する。
【００２５】
本実施形態に係る病院端末２０を実現するコンピュータやスマートフォン等の端末のハードウェア構成は、図２に示すサーバ１０のハードウェア構成例と同様であるため、説明を省略する。
【００２６】
図３は、本実施形態に係るサーバ１０のソフトウェア構成例を示す図である。サーバ１０は、カルテ表示制御部１０１、入力手段制御部１０２、入力情報取得部１０３、カルテＤＢ１０４、フォーマット／項目ＤＢ１０５および辞書ＤＢ１０６を備える。カルテ表示制御部１０１、入力手段制御部１０２および入力情報取得部１０３は、制御部１１がストレージ１３に記憶されているプログラムをメモリ１２に読み出して実行することにより実現され得る。また、カルテＤＢ１０４、フォーマット／項目ＤＢ１０５および辞書ＤＢ１０６は、メモリ１２およびストレージ１３が提供する記憶領域の一部として実現され得る。なお、カルテＤＢ１０４、フォーマット／項目ＤＢ１０５および辞書ＤＢ１０６は、サーバ１０以外の一または複数のサーバが提供する外部の記憶領域の一部として実現されてもよい。
【００２７】
カルテ表示制御部１０１は、種類ごとに異なる複数のカルテの少なくともいずれかの、表示部（例えば病院端末２０の表示部）への表示を制御する機能を有する。カルテの種類とは、例えば、「診察」「入院」「手術」というような、患者である動物への対応の種類や、「総合診療」「専門診療」のような診療内容の種類を意味する。すなわち、カルテの種類としては、「総合診療用カルテ」「専門診療用カルテ」や、「診察用カルテ」「入院用カルテ」「手術用カルテ」が存在する。また、カルテの種類としては、これらの組み合わせ等によるカルテ（例えば、診察時の専門診療用カルテ）等が設けられてもよい。
【００２８】
これらの複数のカルテにより入力されるカルテ情報は、後述するカルテＤＢ１０４において記憶される。複数のうちいくつかのカルテにおいては、表示する項目が共通であれば、表示される内容はカルテＤＢ１０４に記憶されている同一のカルテ情報から抽出されるものであってもよい。これらの複数のカルテの表示内容やフォーマットは、フォーマット／項目ＤＢ１０５に記憶される。例えば、ユーザである医療従事者が「診察用」「専門医用」のカルテを選択すると、カルテ表示制御部１０１は、フォーマット／項目ＤＢ１０５から対応するカルテを取得し、かかるカルテに表示すべき内容をカルテＤＢ１０４から取得する。これらの取得した情報を、カルテ表示制御部１０１は病院端末２０に表示する。
【００２９】
なお、カルテ表示制御部１０１は、電子カルテシステム１のアカウントに関連付けられるユーザ（たとえば獣医）の専門分野に対応する専門診療用カルテを表示してもよい。例えば、皮膚科の獣医が病院端末２０を介してサーバ１０にログインしカルテを取得する際、サーバ１０のカルテ表示制御部１０１は、不図示のスタッフ管理ＤＢからログインした獣医の専門分野に関する情報を取得する。そして、カルテ表示制御部１０１は、ログインした獣医の専門分野である皮膚科のカルテ（皮膚科カルテ）を病院端末２０の表示部に表示させる。これにより、獣医等の医療従事者は、ログインするだけで本人の使用するカルテをすぐに見ることができる。
【００３０】
かかるカルテの種類ごとに、カルテの機能は異なる。かかるカルテの機能は、例えば後述する入力手段制御部１０２により制御される入力手段に反映される。カルテの表示例については後述する。
【００３１】
入力手段制御部１０２は、カルテの種類に関連付けられた入力手段を、表示部に表示されているカルテへの診察情報の入力に反映させる機能を有する。入力手段とは、例えば、表示部等に表示されているカルテに、カルテへの診察情報の入力のための文言を提示する機能を含む。すなわち、入力手段の一例は、入力支援機能である。カルテへの診察情報の入力のための文言は、カルテの種類に関連付けられる辞書ＤＢ１０６から取得される。例えば、皮膚科カルテに対する診察内容等の入力においては、入力手段制御部１０２は皮膚科の検査や診断等に関連する文言を辞書ＤＢ１０６から取得し、取得した文言をカルテ上に提示し得る。かかる文言の提示は、例えば、選択リストの態様で表示するものであってもよいし、ユーザがカルテに対して入力しようとする文字に対して推測される文言の提示であってもよい。
【００３２】
また、入力手段は、例えば、カルテの種類に基づいて設けられる項目からなる診察情報を入力するための入力領域を提供する機能を含む。すなわち、入力手段の一例は、カルテの種類に応じた入力フォーム機能である。項目とは、例えば、問診情報（状況、出欠、期間、食欲、体調、嘔吐の有無、下痢の有無等）、身体所見、病歴、検査、診断、処理／投薬、処方等の、診察、入院また手術時における動物に対して行うタスクの項目である。例えば、入力手段制御部１０２は、皮膚科カルテにおいては、問診の他に、シェーマに関する項目を表示し、かかるシェーマに関する項目に対する入力領域を提示する。入力領域は、例えば、現在の診察等の内容を入力する領域である。また、入力領域は、過去にカルテに入力された内容を表示する領域でもあってもよい。
【００３３】
入力情報取得部１０３は、上述した入力領域等に入力された情報を取得してカルテに反映させる機能を有する。入力された情報（入力情報）は、例えば、病院端末２０に対して獣医等が入力したテキスト、画像等の情報を含む。
【００３４】
カルテＤＢ（データベース）１０４は、動物病院に通院または入院する動物のカルテ情報を管理するためのデータベースである。図４は、本実施形態に係るカルテＤＢ１０４の一例を示す図である。カルテ情報は、例えば、動物毎に動物ＩＤと関連づけて管理され、また、動物毎のカルテ情報は、受診日または入院期間毎に管理される。例えば、動物ＩＤ１０００１で識別される動物の、受診日が２０２０年１月２０日に入力されたカルテ情報として、動物の飼主の基本情報（氏名、住所、Ｅメール等）、動物（ペット）情報（ペット名、性別、種別、体重等）、問診情報（状況、出欠、期間、食欲、体調、嘔吐の有無、下痢の有無等）、身体所見、病歴、検査、診断、処理／投薬、処方、メモ、及び動物（ペット）の動画／画像等の情報が含まれる。かかる情報は、飼主や獣医等の担当者から適宜取得される情報に基づいて構成され得る。また、カルテ情報を、動物が病院の受診時に獣医等が入力した情報とは別に、動物が入院時に獣医等が入力した情報として管理することもできる。この場合、入院時のカルテ情報は受診時の情報と共通するものを含むことができるが、例えば、飲食、排尿、排せつに関する情報、入院中の動物の画像及び／または動画、入院時の排泄を確認するために散歩に出る場合、散歩中の画像及び／または動画、及び各々の画像等に関するコメント等を含むことができる。また、カルテ情報のうち、動物の飼主等のユーザに共有可能な範囲（例えば、入院に関する電子カルテ情報に限る等）を、医療従事者が操作する病院端末２０からの設定要求等に応じて、設定することができる。また、かかるカルテ情報は、後述するフォーマット／項目ＤＢ１０５により得られるフォーマットに応じて、病院端末２０に出力されるカルテとして表示され得る。
【００３５】
フォーマット／項目ＤＢ１０５は、カルテのフォーマット、並びに該フォーマットにより表示される項目及び使用される辞書の種類を規定するデータ構造を含むデータベースである。図５は、本実施形態に係るフォーマット／項目ＤＢ１０５のデータ構造の概念図である。図５に示すように、フォーマット／項目ＤＢ１０５が構成するデータ構造においては、総合診療（診察）カルテ１０５０を基礎とする。総合診療（診察）カルテ１０５０には、問診、身体所見および現病歴等の項目により構成される総合診療用フォーマット１０５１と、基本辞書データ１０５２とが関連付けられている。基本辞書データ１０５２は、辞書ＤＢ１０６に記憶されているデータセットであり、総合診療カルテ１０５０の使用時に用いられる辞書データである。
【００３６】
また、総合診療カルテ１０５０の下位には、皮膚科カルテ１０５３と神経科カルテが関連付けられている。例えば、皮膚科カルテ１０５３には、皮膚科問診、シェーマ、皮膚科検査等の皮膚科用の項目により構成される皮膚科フォーマット１０５４と、皮膚科辞書データ１０５５とが関連付けられている。皮膚科カルテ１０５３を使用する場合は、カルテには皮膚科フォーマット１０５４が表示され、入力の際には皮膚科辞書データ１０５５が入力支援用の辞書データとして用いられ得る。また、神経科カルテも同様に、神経科フォーマットと神経科辞書データとが関連付けられている。
【００３７】
また、総合診療カルテ１０５０と並列して、入院カルテ１０５６と手術カルテが関連付けられている。例えば、入院カルテ１０５６には、食事管理、排泄管理等の入院管理用の項目により構成される入院フォーマット１０５７と、入院辞書データ１０５８とが関連付けられている。また、手術カルテも同様に、麻酔、写真、輸血等の手術フォーマットと手術辞書データとが関連付けられている。
【００３８】
このように、各種類におけるカルテの使用時には、カルテの種類に応じたカルテフォーマットと、カルテの入力支援に用いられる辞書データの少なくともいずれかが用いられ得る。これにより、各カルテに切り替えた場合に、そのカルテに適した項目や入力機能を使用することができる。なお、図５に示したフォーマット／項目ＤＢのデータ構造はあくまで一例である、具体的なデータ構造については特に限定されない。
【００３９】
辞書ＤＢ１０６は、図５に示した基本辞書データ１０５２等の辞書データを記憶するデータベースである。辞書ＤＢ１０６は、図５に示すように、カルテの種類に関連する辞書データをそれぞれ有する。辞書データは、カルテに入力したり記録したりする文言が、カルテの種類等に関連付けられ得る。例えば、「総合診療（診察）」のカルテにおいては、検査の項目について入力する際に、血液検査に関する文言（血液検査の種類、メニュー等）が辞書ＤＢ１０６の基本辞書データから読み出されて、カルテに提示され得る。
【００４０】
次に、本実施形態に係るカルテ表示制御部１０１と入力手段制御部１０２によるカルテの表示例について説明する。その際、付随的に他の機能部による機能についても説明する。
【００４１】
図６は、本実施形態に係るカルテ表示制御部１０１と入力手段制御部１０２によるカルテの表示の第１の例を示す図である。図６に示す画面２０００は、病院端末２０の表示部２０１に表示される。画面２０００は、例えば、医療従事者である獣医が診察している犬の、２０２０年３月２４日時点での診察（総合診療）用のカルテの画面である。画面２０００には、患者情報２００１、日付切替カラム２００２、項目選択領域２００３、項目入力領域２００４およびカルテ選択ボタン２００９が含まれる。
【００４２】
患者情報２００１は、例えば、患者である動物の写真、名前、動物種、年齢等の情報を含み得る。患者情報２００１に含まれる情報は、例えばカルテＤＢ１０４から取得される。日付切替カラム２００２は、動物の現在または過去の診察日におけるカルテに切り替えるための領域である。例えば、日付切替カラム２００２に表示されている日付を選択すると、該日付におけるカルテが表示され得る。項目選択領域２００３は、カルテの各項目に対応するカルテ画面を表示させるために該項目を選択するための領域である。図６に示す例では、総合診療カルテの「検査」項目における「すべて」の検査結果に関して表示されている。
【００４３】
項目入力領域２００４は、特記事項入力フォーム２００５、検査内容表示入力フォーム２００６、２００７を含む。特記事項入力フォーム２００５は、検査に関する特記事項を入力するための入力フォームである。検査内容表示入力フォーム２００６、２００７は、検査の内容およびその結果を入力するための入力フォームである。例えば、獣医は、検査を行う内容として「血液検査」を入力しようとする際に、入力手段制御部１０２による入力支援機能により「血液検査（ProCyte＋Chem10＋Lyte4＋CRP＋URIC）」が入力候補２００８として表示され得る。かかる入力候補は、辞書ＤＢ１０６に記憶される総合診療（の検査）の辞書データに含まれる文言であってもよい。入力手段制御部１０２は、例えば、過去にカルテに入力された（入力情報取得部１０３が取得した）情報の履歴に基づいて、かかる入力候補の文言を優先的に表示してもよい。
【００４４】
また、カルテ選択ボタン２００９は、表示されるカルテの種類を切り替えるためのボタンである。かかるボタン２００９は、例えば「診察」「入院」「手術」「皮膚科」「神経科」等の総合診療用カルテと専門診療用カルテとを切り替えるためのボタンであり得る。かかるボタン２００９のいずれかを選択することで、項目入力領域２００４に表示されるカルテのフォーマットを切り替えることができる。
【００４５】
図７は、本実施形態に係るカルテ表示制御部１０１と入力手段制御部１０２によるカルテの表示の第２の例を示す図である。図７に示す画面２０１０は、病院端末２０の表示部２０１に表示される。画面２０１０は、例えば、医療従事者である獣医が診察している犬の、２０２０年３月２４日時点での皮膚科（専門診療）用のカルテの画面である。画面２０１０には、患者情報２０１１、日付切替カラム２０１２、項目選択領域２０１３、項目入力領域２０１４およびカルテ選択ボタン２０１８が含まれる。
【００４６】
患者情報２０１１と日付切替カラム２０１２は図６に示した例と同様である。項目選択領域２０１３は、カルテの各項目に対応するカルテ画面を表示させるために該項目を選択するための領域である。図７に示す例では、皮膚科用カルテの「シェーマ」項目における「頭部」の検査結果に関して表示されている。
【００４７】
項目入力領域２０１４は、特記事項入力フォーム２０１５、シェーマ表示入力領域２０１６およびコメント表示入力領域２０１７を含む。特記事項入力フォーム２０１５は、シェーマに関する特記事項を入力するための入力フォームである。シェーマ表示入力領域２０１６は、動物のシェーマを表示する領域である。例えば、獣医は、シェーマを入力する際に、かかるシェーマ表示入力領域２０１６を選択することで、シェーマの画像が拡大して表示され得る。かかる拡大されたシェーマ画像に対して、患部に関する記入をすることができる。カルテ選択ボタン２０１８について、図７に示す例では、「皮膚科」のボタンが強調して表示されている。これにより、「皮膚科」のカルテが切り替わって表示されていることが示される。このように、カルテ選択ボタン２０１８を選択することで、所望の専門診療に関するカルテを簡単に表示することができる。
【００４８】
図８は、本実施形態に係る電子カルテシステム１における一連の制御に係るフローチャート図である。以下、電子カルテシステム１によるカルテの取得、選択および入力に係る処理の流れの一例について説明する。
【００４９】
まず、獣医が患者である動物のカルテをカルテＤＢ１０４から取得する（ステップＳ１０１）。サーバ１０のカルテ表示制御部１０１および入力手段制御部１０２は、取得される動物のカルテの画面を病院端末２０の表示部２０１に表示させる。
【００５０】
次に、獣医が皮膚科医であるため、皮膚科のカルテを選択する（ステップＳ１０３）。その際、獣医は図６に示すようなカルテ画面２０００のカルテ選択ボタン２００９のうち「皮膚科」のボタンを選択する。
【００５１】
サーバ１０のカルテ表示制御部１０１および入力手段制御部１０２は、皮膚科カルテの画面を病院端末２０の表示部２０１に表示させる（ステップＳ１０５）。例えば、ここでは、図７に示すような皮膚科のカルテ画面２０１０が表示される。かかる皮膚科用カルテに対して、獣医はシェーマ等の情報を入力する。サーバ１０の入力情報取得部１０３は、入力に対する情報を取得し、カルテに反映させる（ステップＳ１０７）。
【００５２】
以上説明したように、本実施形態に係る電子カルテシステム１によれば、複数のカルテがそれぞれ異なる項目により構成されるフォーマットにより表示される。そのため、例えば獣医が総合診療を行う場合か専門診療を行う場合かにおいて、それぞれに適したカルテが獣医に対して表示され得る。例えば、週に一度だけ勤務する非常勤の皮膚科が動物のカルテを閲覧する場合、皮膚科用カルテを選択して皮膚科の項目に対応するカルテをすぐに見ることができる。そのため、普段から動物のカルテを見ていない場合であっても、対応するカルテを簡単に確認することができる。これにより、動物病院における多様なカルテの取り扱いについて医療従事者がより正確に対応することができる。
【００５３】
かかるカルテにおいては、カルテの種類に応じた入力表示項目の表示機能や、入力支援機能が設けられ得る。これにより、カルテの種類に応じて入力のしやすさが改善され得る。
【００５４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５５】
本明細書において説明した装置は、単独の装置として実現されてもよく、一部または全部がネットワークで接続された複数の装置（例えばクラウドサーバ）等により実現されてもよい。例えば、サーバ１０の制御部１１およびストレージ１３は、互いにネットワークで接続された異なるサーバにより実現されてもよい。
【００５６】
本明細書において説明した装置による一連の処理は、ソフトウェア、ハードウェア、及びソフトウェアとハードウェアとの組合せのいずれを用いて実現されてもよい。本実施形態に係るサーバ１０の各機能を実現するためのコンピュータプログラムを作製し、ＰＣ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【００５７】
また、本明細書においてフローチャート図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【００５８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５９】
なお、以下のような構成も本開示の技術的範囲に属する。
（項目１）
動物病院において用いられる電子カルテシステムであって、
種類ごとに異なる複数のカルテの少なくともいずれかの、表示部への表示を制御するカルテ表示制御部と、
前記カルテの種類に関連付けられた入力手段を、前記表示部に表示されている前記カルテへの診察情報の入力に反映させる入力手段制御部と、
を備える、電子カルテシステム。
（項目２）
項目１に記載の電子カルテシステムであって、
前記カルテの種類は、総合診療用カルテと、専門診療用カルテと、を含む、
電子カルテシステム。
（項目３）
項目２に記載の電子カルテシステムであって、
前記専門診療用カルテは皮膚科用カルテを含み、
前記カルテの項目は、シェーマに関する項目を含む、
電子カルテシステム。
（項目４）
項目２または３に記載の電子カルテシステムであって、
前記カルテ表示制御部は、前記電子カルテシステムのアカウントに関連付けられるユーザの専門分野に対応する前記専門診療用カルテを表示する、
電子カルテシステム。
（項目５）
項目１〜４のいずれか１項に記載の電子カルテシステムであって、
前記入力手段制御部は、表示されている前記カルテに、前記カルテへの診察情報の入力のための文言を提示し、
前記文言は、前記カルテの種類に関連付けられる辞書ＤＢから取得される、
電子カルテシステム。
（項目６）
項目１〜５のいずれか１項に記載の電子カルテシステムであって、
前記入力手段は、前記カルテの種類に基づいて設けられる項目からなる、前記診察情報を入力するための入力領域を含む、
電子カルテシステム。
（項目７）
コンピュータを、動物病院において用いられる電子カルテシステムとして機能させるためのプログラムであって、
前記コンピュータを、
種類ごとに異なる複数のカルテの少なくともいずれかの、表示部への表示を制御するカルテ表示制御部と、
前記カルテの種類に関連付けられた入力手段を、前記表示部に表示されている前記カルテへの診察情報の入力に反映させる入力手段制御部と、
として機能させるプログラム。
【符号の説明】
【００６０】
１        電子カルテシステム
１０      サーバ
２０      病院端末
１０１    カルテ表示制御部
１０２    入力手段制御部
【要約】
【課題】動物病院における多様なカルテの取り扱いについて医療従事者がより正確に対応すること。
【解決手段】本開示による電子カルテシステム１は、動物病院において用いられる電子カルテシステム１であって、種類ごとに異なる複数のカルテの少なくともいずれかの、病院端末２０の表示部２０１への表示を制御するカルテ表示制御部１０１と、前記カルテの種類に関連付けられた入力手段を、前記表示部２０１に表示されている前記カルテへの診察情報の入力に反映させる入力手段制御部１０２と、を備える。
【選択図】図１【図１】
0006969839.tif 000002
【図２】
0006969839.tif 000003
【図３】
0006969839.tif 000004
【図４】
0006969839.tif 000005
【図５】
0006969839.tif 000006
【図６】
0006969839.tif 000007
【図７】
0006969839.tif 000008
【図８】
0006969839.tif 000009